Podtech/llm-jp-corpus-v4-ja_patent huggingface dataset:
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
遊技を行う遊技機であって、
プログラムを記憶する記憶手段と、
該記憶手段に記憶されたプログラムに従った処理を実行するマイクロコンピュータと、を備え、
プログラムは、割込の発生に応じて実行される割込プログラムを含み、
前記マイクロコンピュータは、
割込が許可されているときに、該割込にもとづいて割込プログラムに従った処理を実行する割込処理実行手段と、
前記記憶手段における割込プログラムのアドレスを記憶可能な記憶領域を有するアドレス記憶手段と、
前記アドレス記憶手段の記憶領域で記憶しているアドレスが所定の範囲にあるか否かを前記マイクロコンピュータの起動時に判定する判定手段と、
割込プログラムのアドレスが所定の範囲にないと前記判定手段が判定したときに前記マイクロコンピュータの起動を制限する起動制限手段とを備え、
前記遊技機は、
受付期間において操作手段に対する複数回の操作を受け付ける第１操作受付手段と、
前記受付期間において前記操作手段に対する特定操作が検出された場合に前記特定操作を前記複数回の操作として受け付ける第２操作受付手段と、をさらに備え、
前記第１操作受付手段が前記複数回の操作を受け付けたこと、または、前記第２操作受付手段が前記特定操作を受け付けたことに基づいて演出を進行させ、当該演出の進行が終了してから前記操作手段に対する特別操作が受け付けられたことに基づいて、演出結果を報知し、
前記演出の進行が終了してから前記特別操作を受け付ける特別操作受付期間が開始されるまでの間に、前記操作手段に対する操作を受け付けない非受付期間が設けられる、遊技機。
【手続補正２】
【補正対象書類名】明細書
【補正対象項目名】０００３
【補正方法】変更
【補正の内容】
【０００３】
このような遊技機の一例として、割込が発生するものが開示されている（例えば、特許文献１）。
【手続補正３】
【補正対象書類名】明細書
【補正対象項目名】０００５
【補正方法】変更
【補正の内容】
【０００５】
ベクタテーブルに意図しないアドレスが定義されていれば、マイクロコンピュータの起動後であっても割込が発生するまでは正常な処理が実行されるものの、割込が発生したときに意図しない処理が実行される虞がある。
【手続補正４】
【補正対象書類名】明細書
【補正対象項目名】０００６
【補正方法】変更
【補正の内容】
【０００６】
本発明は、上記実情に鑑みてなされたものであり、意図しない割込処理が実行されることを事前に防止することができる遊技機を提供することを目的とする。
【手続補正５】
【補正対象書類名】明細書
【補正対象項目名】０００７
【補正方法】変更
【補正の内容】
【０００７】
（Ａ）  上記課題を解決するために、本発明の遊技機は、
遊技を行う遊技機であって、
プログラムを記憶する記憶手段と、
該記憶手段に記憶されたプログラムに従った処理を実行するマイクロコンピュータと、を備え、
プログラムは、割込の発生に応じて実行される割込プログラムを含み、
前記マイクロコンピュータは、
割込が許可されているときに、該割込にもとづいて割込プログラムに従った処理を実行する割込処理実行手段と、
前記記憶手段における割込プログラムのアドレスを記憶可能な記憶領域を有するアドレス記憶手段と、
前記アドレス記憶手段の記憶領域で記憶しているアドレスが所定の範囲にあるか否かを前記マイクロコンピュータの起動時に判定する判定手段と、
割込プログラムのアドレスが所定の範囲にないと前記判定手段が判定したときに前記マイクロコンピュータの起動を制限する起動制限手段とを備え、
前記遊技機は、
受付期間において操作手段に対する複数回の操作を受け付ける第１操作受付手段と、
前記受付期間において前記操作手段に対する特定操作が検出された場合に前記特定操作を前記複数回の操作として受け付ける第２操作受付手段と、をさらに備え、
前記第１操作受付手段が前記複数回の操作を受け付けたこと、または、前記第２操作受付手段が前記特定操作を受け付けたことに基づいて演出を進行させ、当該演出の進行が終了してから前記操作手段に対する特別操作が受け付けられたことに基づいて、演出結果を報知し、
前記演出の進行が終了してから前記特別操作を受け付ける特別操作受付期間が開始されるまでの間に、前記操作手段に対する操作を受け付けない非受付期間が設けられる。
さらに、他の態様に係る（１）の遊技機は、
遊技を行う遊技機（例えば、スロットマシン１、パチンコ遊技機）であって、
受付期間（例えば、連打演出開始後の受付期間）において操作手段（例えば、演出用スイッチ５６、４０１、ＭＡＸＢＥＴスイッチ６、スタートスイッチ７、ストップスイッチ８Ｌ、８Ｃ、８Ｒ、精算スイッチ１０、タッチパネル、遊技者による特定の動作を検出可能なセンサ）に対する複数回の所定操作（例えば、連打操作、センサに対する複数回のジェスチャ）を受け付ける第１操作受付手段（例えば、サブ制御部９１が実行するステップＳ１０３の処理）と、
前記受付期間において操作手段に対する特定操作（例えば、長押し操作、センサに対する特定のジェスチャ）が検出された場合に前記特定操作を前記複数回の所定操作として受け付ける第２操作受付手段（例えば、サブ制御部９１が実行するステップＳ１０４の処理）と、
所定演出（例えば、連打演出）を実行する所定演出実行手段（例えば、サブ制御部９１が実行するステップＳ１０１〜Ｓ１１６の処理）とを備え、
前記所定演出実行手段は、
前記第１操作受付手段が前記複数回の所定操作を受け付けたこと、または、前記第２操作受付手段が前記特定操作を受け付けたことに基づいて、前記所定演出を進行させる演出進行手段（例えば、サブ制御部９１が実行するステップＳ１０１〜Ｓ１０５の処理）と、
前記所定演出の演出結果として特定結果または前記特定結果とは異なる非特定結果を報知する演出結果報知手段（例えば、サブ制御部９１が実行するステップＳ１０６〜Ｓ１１６の処理）とを含み、
前記演出結果報知手段は、前記演出進行手段による前記所定演出の進行が終了してから前記操作手段に対する特別操作（例えば、最終操作、押下操作、センサに対する特別なジェスチャ）が受け付けられたことに基づいて、前記演出結果を報知する（例えば、サブ制御部９１が実行するステップＳ１０６、Ｓ１１３、Ｓ１１４の処理）。
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
ボアが形成され、医用撮像機構を装備する架台と、
被検体を載置する天板を移動させる寝台と、
前記天板とは別個に設けられ、前記ボアの中心軸に沿って移動可能な移動体と、
前記移動体に設けられたスクリーンと、
前記スクリーンの映像を前記被検体の方へ反射させる反射板と、
前記移動体に設けられ、前記反射板を支持する支持体と、
前記移動体と前記天板とを連結する連結部を備え、
前記移動体が前記ボア内に位置するときに、前記連結部における連結および連結解除が行われる、
医用画像診断装置。
【請求項２】
前記移動体が前記架台の寝台側端部に位置するときに、前記連結部における連結および連結解除が行われる、請求項１に記載の医用画像診断装置。
【請求項３】
前記移動体の寝台側端部が前記架台の寝台側端部に位置するときに、前記連結部における連結および連結解除が行われる、請求項１に記載の医用画像診断装置。
【請求項４】
前記スクリーンは、前記移動体の寝台側端部が前記架台の寝台側端部に位置するときに前記ボアを塞ぐ、請求項１乃至３のいずれか１項に記載の医用画像診断装置。
【請求項５】
前記移動体は、前記天板が前記移動体と連結する高さから下降したときに、前記天板が前記移動体と連結する高さに位置する、請求項１乃至４のいずれか１項に記載の医用画像診断装置。
【請求項６】
前記移動体は、前記ボアの内壁に設けられたレールに沿って移動し、前記天板が前記移動体と連結する高さから下降したときに、前記レールの上に位置する、請求項１乃至４のいずれか１項に記載の医用画像診断装置。
【請求項７】
前記移動体は、
前記連結部を介して前記天板と連結しているとき、前記天板の前記中心軸に沿う移動に連動して移動し、
前記連結部による前記天板との連結が解除されているとき、前記天板の移動にかかわらず、前記架台の寝台側端部に位置する、
請求項１乃至６のいずれか１項に記載の医用画像診断装置。
【請求項８】
前記移動体が移動することにより前記連結部における連結および連結解除が行われる請求項１乃至７のいずれか１項に記載の医用画像診断装置。
【請求項９】
前記移動体が第１の方向に移動することにより前記連結部における連結が行われ、前記移動体が第２の方向に移動することにより前記連結部における連結解除が行われる、
請求項１乃至７のいずれか１項に記載の医用画像診断装置。
【請求項１０】
前記第１の方向は第２の方向と反対の方向である、
請求項９に記載の医用画像診断装置。
【請求項１１】
前記移動体は、前記天板が前記移動体に向かってスライドすることにより、前記連結部を介して前記天板と連結する、請求項１乃至７のいずれか１項に記載の医用画像診断装置。
【請求項１２】
前記連結部は、前記移動体に設けられた第１の連結部と、前記天板に設けられた第２の連結部とを含み、
前記第１の連結部は、前記天板が前記移動体に向かってスライドすることにより前記第２の連結部と連結する、
請求項１１に記載の医用画像診断装置。
【請求項１３】
前記第１の連結部は雌部であり、
前記第２の連結部は雄部である
請求項１２に記載の医用画像診断装置。
【請求項１４】
前記第２の連結部は鉤爪であり、
前記天板が前記移動体に向かってスライドすることにより前記鉤爪が動き、前記鉤爪が前記雌部に嵌る、
請求項１３に記載の医用画像診断装置。
【請求項１５】
ボアが形成され、医用撮像機構を装備する架台と、
被検体を載置する天板を移動させる寝台と、
前記天板とは別個に設けられ、前記ボアの中心軸に沿って前記天板と連動して移動可能な移動体と、
前記移動体に設けられたスクリーンと、
前記スクリーンの映像を前記被検体の方へ反射させる反射板と、
前記移動体に設けられ、前記反射板を支持する支持体と、
前記移動体と前記天板とを連結する連結部を備え、
前記移動体が前記ボア内に位置するときに、前記連結部における連結および連結解除が行われる、
医用画像診断システム。
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を行い、該抽選の結果に基づいて利益を付与する遊技機であって、
前記抽選の結果に関する演出実行中に発光可能な発光部が実装されるとともに、反射効果を向上させうる白色の反射向上領域が基板面に設けられた発光装飾基板を備え、
前記発光装飾基板として、前方発光装飾基板と、該前方発光装飾基板よりも後方に配置される後方発光装飾基板とを有し、
前記反射向上領域は、少なくとも前記後方発光装飾基板の面部のうちの前記発光部が実装される表面部と、該表面部に相対する面であって前記前方発光装飾基板の面部のうちの前記発光部が実装されない裏面部とに設けられ、
さらに、前記前方発光装飾基板の裏面部側には、透光性を有する透光部材が設けられ、
前記透光部材は、前記前方発光装飾基板の裏面部側に該前方発光装飾基板に対して固定されるものであり、さらに、前記前方発光装飾基板の裏面部の縁よりも外側に延出する延出透光部位を有しており、
該延出透光部位は、前記後方発光装飾基板の前記発光部からの光を透光させうるように、前記後方発光装飾基板の前方に位置しうるものであり、
さらに、前記前方発光装飾基板と前記後方発光装飾基板は、一の可動体ユニットとして設けられ、
所定の動作条件が成立することに基づいて、前記前方発光装飾基板と前記後方発光装飾基板の前後に重なる領域が変化し得るように前記可動体ユニットが所定の動作を行う
ことを特徴とする遊技機。
【手続補正２】
【補正対象書類名】明細書
【補正対象項目名】０００４
【補正方法】変更
【補正の内容】
【０００４】
上記した遊技機では、まだまだ演出を行う部材に工夫の余地はある。
【手続補正３】
【補正対象書類名】明細書
【補正対象項目名】０００５
【補正方法】変更
【補正の内容】
【０００５】
本発明は上記の実状に鑑み、演出を行う部材に工夫を施し、遊技興趣の低下を抑制する遊技機の提供を課題とする。
【手続補正４】
【補正対象書類名】明細書
【補正対象項目名】０００６
【補正方法】変更
【補正の内容】
【０００６】
本発明は、
所定条件の成立に基づいて抽選を行い、該抽選の結果に基づいて利益を付与する遊技機であって、
前記抽選の結果に関する演出実行中に発光可能な発光部が実装されるとともに、反射効果を向上させうる白色の反射向上領域が基板面に設けられた発光装飾基板を備え、
前記発光装飾基板として、前方発光装飾基板と、該前方発光装飾基板よりも後方に配置される後方発光装飾基板とを有し、
前記反射向上領域は、少なくとも前記後方発光装飾基板の面部のうちの前記発光部が実装される表面部と、該表面部に相対する面であって前記前方発光装飾基板の面部のうちの前記発光部が実装されない裏面部とに設けられ、
さらに、前記前方発光装飾基板の裏面部側には、透光性を有する透光部材が設けられ、
前記透光部材は、前記前方発光装飾基板の裏面部側に該前方発光装飾基板に対して固定されるものであり、さらに、前記前方発光装飾基板の裏面部の縁よりも外側に延出する延出透光部位を有しており、
該延出透光部位は、前記後方発光装飾基板の前記発光部からの光を透光させうるように、前記後方発光装飾基板の前方に位置しうるものであり、
さらに、前記前方発光装飾基板と前記後方発光装飾基板は、一の可動体ユニットとして設けられ、
所定の動作条件が成立することに基づいて、前記前方発光装飾基板と前記後方発光装飾基板の前後に重なる領域が変化し得るように前記可動体ユニットが所定の動作を行う
ことを特徴とする。
【手続補正５】
【補正対象書類名】明細書
【補正対象項目名】０００７
【補正方法】変更
【補正の内容】
【０００７】
このように、本発明によれば、興趣の低下を抑制させることが可能な遊技機を提供することができる。
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
始動条件の成立に基づいて所定の当落抽選を行う抽選手段と、
該抽選手段による前記当落抽選にて当選したことに基づいて、複数のラウンド遊技によって遊技者に特典を付与する利益付与状態に制御する利益付与手段と、
所定の演出が実行される演出表示装置と、
前記抽選手段による前記当落抽選の結果に基づいて、前記演出表示装置にて変動表示演出を行い所定の表示結果を導出表示する演出制御手段と、
前記所定の表示結果のうち特定の表示結果が導出表示されたときに、前記当落抽選にて当選したことを示唆する遊技機であって、
所定の操作が実行可能な操作手段と、
該操作手段が操作されたことに基づいて可動演出体を動作させ得る可動制御手段と、
前記変動表示演出中に遊技者に前記操作手段の操作を促す変動時操作演出を実行する変動時操作演出実行手段と、
前記利益付与状態の制御中に遊技者に前記操作手段の操作を促す利益付与時操作演出を実行する利益付与時操作演出実行手段と、を備え、
前記可動制御手段は、
前記変動時操作演出実行手段による前記変動時操作演出の実行中に前記操作手段が操作されると前記可動演出体を所定の動作割合で動作させる一方、前記利益付与時操作演出実行手段による前記利益付与時操作演出の実行中に前記操作手段が操作されると前記可動演出体を前記所定の動作割合よりも高い割合で動作させるものであり、
前記利益付与時操作演出実行手段による前記利益付与時操作演出は、複数のラウンド遊技によって実行可能とされている前記利益付与状態の特定のラウンド遊技中に実行されえる
ことを特徴とする遊技機。  
【手続補正２】
【補正対象書類名】明細書
【補正対象項目名】０００５
【補正方法】変更
【補正の内容】
【０００５】
本発明は上記の実状に鑑み、遊技興趣の低下を抑止可能な遊技機を提供することを目的とする。
【手続補正３】
【補正対象書類名】明細書
【補正対象項目名】０００６
【補正方法】変更
【補正の内容】
【０００６】
上記目的を解決するために、本発明の遊技機は、始動条件の成立に基づいて所定の当落抽選を行う抽選手段と、
該抽選手段による前記当落抽選にて当選したことに基づいて、複数のラウンド遊技によって遊技者に特典を付与する利益付与状態に制御する利益付与手段と、
所定の演出が実行される演出表示装置と、
前記抽選手段による前記当落抽選の結果に基づいて、前記演出表示装置にて変動表示演出を行い所定の表示結果を導出表示する演出制御手段と、
前記所定の表示結果のうち特定の表示結果が導出表示されたときに、前記当落抽選にて当選したことを示唆する遊技機であって、
所定の操作が実行可能な操作手段と、
該操作手段が操作されたことに基づいて可動演出体を動作させ得る可動制御手段と、
前記変動表示演出中に遊技者に前記操作手段の操作を促す変動時操作演出を実行する変動時操作演出実行手段と、
前記利益付与状態の制御中に遊技者に前記操作手段の操作を促す利益付与時操作演出を実行する利益付与時操作演出実行手段と、を備え、
前記可動制御手段は、
前記変動時操作演出実行手段による前記変動時操作演出の実行中に前記操作手段が操作されると前記可動演出体を所定の動作割合で動作させる一方、前記利益付与時操作演出実行手段による前記利益付与時操作演出の実行中に前記操作手段が操作されると前記可動演出体を前記所定の動作割合よりも高い割合で動作させるものであり、
前記利益付与時操作演出実行手段による前記利益付与時操作演出は、複数のラウンド遊技によって実行可能とされている前記利益付与状態の特定のラウンド遊技中に実行されえる
ことを特徴とする。
【手続補正４】
【補正対象書類名】明細書
【補正対象項目名】０００７
【補正方法】変更
【補正の内容】
【０００７】
このように、本発明によれば、遊技興趣の低下を抑止可能である。
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
遊技領域を流下する遊技玉が入球可能な作動口及び特殊可変入賞口と、
前記特殊可変入賞口の下流側に設けられ、前記特殊可変入賞口に入球した後の前記遊技玉が入球可能な特殊入賞口と、
前記遊技玉が前記作動口に入球した場合に、当否判定に用いられる当否情報を取得する当否情報取得処理手段と、
前記当否情報取得処理手段により取得される前記当否情報を予め定められた最大保留数を上限として記憶する保留処理手段と、
前記当否情報ごとに対応する図柄変動表示の変動表示時間を設定する変動時間設定処理手段と、
前記当否判定の結果が当選である場合に自機の遊技状態を通常遊技状態よりも有利な予め定められた第１特定遊技状態に移行させる第１移行処理手段と、
前記特殊入賞口に前記遊技玉が入球した場合に自機の遊技状態を前記通常遊技状態よりも有利な予め定められた第２特定遊技状態に移行させる第２移行処理手段と、
予め定められた開放条件が充足する遊技回における前記図柄変動表示後の予め定められた特殊開放時間だけ前記特殊可変入賞口を開放する第１切換処理手段と、
前記特殊入賞口が開放される第１切換期間及び前記特殊入賞口が閉鎖される第２切換期間の間隔で前記特殊入賞口の開閉を切り換える第２切換処理手段と、
を備え、
予め定められた特殊遊技実行条件が充足した場合であって、予め定められた特殊遊技回数の遊技回において前記開放条件が充足した場合に、前記遊技玉が前記特殊入賞口に入球可能なタイミングが少なくとも１回以上発生し得るように構成され、
前記特殊遊技実行条件は、前記保留処理手段によって記憶されている前記当否情報の保留数が予め定められた閾値である場合に充足するものである遊技機。
【請求項２】
前記遊技機は、パチンコ遊技機である、請求項１に記載の遊技機。
【手続補正書】
【提出日】令和2年7月2日(2020.7.2)
【手続補正１】
【補正対象書類名】特許請求の範囲
【補正対象項目名】全文
【補正方法】変更
【補正の内容】
【特許請求の範囲】
【請求項１】
複数のＬＥＤチップが配列された、動植物育成用のＬＥＤ照明シートであって、
前記動植物育成用のＬＥＤ照明シートの下方領域のうち前記ＬＥＤチップから５０ｍｍ離れた任意の位置において、光合成光量子束密度を投入電力換算し、下方領域の平均値で規格化した値が０．２以上であり、
前記動植物育成用のＬＥＤ照明シートの下方領域のうち前記ＬＥＤチップから５０ｍｍ離れた位置において測定された光合成光量子束密度のばらつきが、平均値で規格化した際の標準偏差で０．５以下であり、
前記ＬＥＤチップは、３７ｍｍ以上５０ｍｍ以下の間隔で１０個以上直列に配置され、このＬＥＤチップの列が３７ｍｍ以上１００ｍｍ以下の間隔で４列以上並列に配置されている、動植物育成用のＬＥＤ照明シート。
【請求項２】
基板フィルムと、
前記基板フィルムの表面に形成された金属配線部と、
前記金属配線部上に形成された光反射性絶縁保護膜と、
前記光反射性絶縁保護膜及び前記複数のＬＥＤチップを覆うように形成された透明保護膜と、を備え、
前記複数のＬＥＤチップは、前記金属配線部に実装されている、請求項１記載の動植物育成用のＬＥＤ照明シート。
【請求項３】
前記光反射性絶縁保護膜は、白色顔料を含むとともに、波長４００ｎｍ以上７８０ｎｍ以下における光線平均反射率が、いずれも６５％以上であり、
前記金属配線部の厚さは、１０μｍ以上５０μｍ以下であり、
前記透明保護膜の厚さは、１０μｍ以上４０μｍ以下である、請求項２記載の動植物育成用のＬＥＤ照明シート。
【請求項４】
最も厚い部分における厚みが５ｍｍ以下である、請求項１乃至３のいずれか一項記載の動植物育成用のＬＥＤ照明シート。
【請求項５】
動植物育成用のＬＥＤ照明モジュールであって、
請求項１乃至４のいずれか一項記載の動植物育成用のＬＥＤ照明シートと、
前記動植物育成用のＬＥＤ照明シートに電気的に接続された制御部と、を備えた、動植物育成用のＬＥＤ照明モジュール。
【請求項６】
動植物の育成棚用の棚板であって、
基板と、
前記基板に取り付けられた、請求項１乃至４のいずれか一項記載の動植物育成用のＬＥＤ照明シートまたは請求項５記載の動植物育成用のＬＥＤ照明モジュールと、を備えた、動植物の育成棚用の棚板。
【請求項７】
動植物の育成棚であって、
棚板を備え、
前記棚板は、基板の下面側に取り付けられた、請求項１乃至４のいずれか一項記載の動植物育成用のＬＥＤ照明シートまたは請求項５記載の動植物育成用のＬＥＤ照明モジュールを備えた、動植物の育成棚。
【請求項８】
前記棚板の側面側に、光反射シートが配置されている、請求項７記載の動植物の育成棚。
【請求項９】
建物と、
前記建物の内部に配置された、請求項７又は８記載の動植物の育成棚と、を備えた、動植物育成工場。
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
電線と、
前記電線を覆うパイプと、
前記電線と前記パイプとを覆う第１プロテクタと、を有し、
前記第１プロテクタは、第１本体部と、前記パイプの軸方向と交差する方向から前記第１本体部に連結される第１蓋部と、前記第１本体部及び前記第１蓋部の少なくとも一方に設けられる第１突部と、を有し、
前記パイプは、第１端部と、前記第１端部において前記パイプを貫通する第１孔と、を有し、
前記第１プロテクタは、前記パイプの前記第１端部を覆い、
前記第１突部は、前記第１孔に嵌り、
前記第１孔は、前記軸方向と直交する方向よりも前記軸方向に長い長孔状であり、
前記第１孔の寸法は、前記軸方向において前記第１突部の寸法よりも大きい電線モジュール。
【請求項２】
前記第１突部は、前記第１本体部及び前記第１蓋部の各々に設けられており、
前記パイプは、前記第１本体部に設けられた前記第１突部に対向する位置と前記第１蓋部に設けられた前記第１突部に対向する位置とに設けられた複数の前記第１孔を有する請求項１に記載の電線モジュール。
【請求項３】
前記第１プロテクタは、前記第１蓋部が前記第１本体部に連結している状態を保持する第１ロック部と、前記パイプの前記第１端部を覆う第１ラップ部分と、を有し、
前記第１ロック部は、前記軸方向において、前記第１ラップ部分の両端部に設けられている請求項１又は請求項２に記載の電線モジュール。
【請求項４】
前記第１蓋部は、前記第１本体部に向かって突出する一対の第１側縁部を有し、
前記一対の第１側縁部は、前記第１本体部の外周面と接触可能である請求項３に記載の電線モジュール。
【請求項５】
前記第１ロック部は、前記第１蓋部に設けられる第１蓋側ロック部と、前記第１本体部に設けられる第１本体側ロック部と、を有し、
前記第１蓋側ロック部は、前記一対の第１側縁部から突出するとともに、前記第１本体側ロック部に係止している請求項４に記載の電線モジュール。
【請求項６】
前記第１蓋部は、平板状である請求項１から請求項５のいずれか１項に記載の電線モジュール。
【請求項７】
前記電線と前記パイプとを覆う第２プロテクタを更に有し、
前記第２プロテクタは、第２本体部と、前記軸方向と交差する方向から前記第２本体部に連結される第２蓋部と、前記第２本体部及び前記第２蓋部の少なくとも一方に設けられる第２突部と、を有し、
前記パイプは、前記軸方向において前記第１端部とは反対側に配される第２端部と、前記第２端部において前記パイプを貫通する第２孔と、を有し、
前記第２プロテクタは、前記パイプの前記第２端部を覆い、
前記第２突部は、前記第２孔に嵌る請求項１から請求項６のいずれか１項に記載の電線モジュール。
【請求項８】
前記第２突部は、前記第２本体部及び前記第２蓋部の各々に設けられており、
前記パイプは、前記第２本体部に設けられた前記第２突部に対向する位置と前記第２蓋部に設けられた前記第２突部に対向する位置とに設けられた複数の前記第２孔を有する請求項７に記載の電線モジュール。
【請求項９】
前記第２プロテクタは、前記第２蓋部が前記第２本体部に連結している状態を保持する第２ロック部と、前記パイプの前記第２端部を覆う第２ラップ部分と、を有し、
前記第２ロック部は、前記軸方向において、前記第２ラップ部分の両端部に設けられている請求項７又は請求項８に記載の電線モジュール。
【請求項１０】
前記第２蓋部は、前記第２本体部に向かって突出する一対の第２側縁部を有し、
前記一対の第２側縁部は、前記第２本体部の外周面と接触可能である請求項９に記載の電線モジュール。
【請求項１１】
前記第２ロック部は、前記第２蓋部に設けられる第２蓋側ロック部と、前記第２本体部に設けられる第２本体側ロック部と、を有し、
前記第２蓋側ロック部は、前記一対の第２側縁部から突出するとともに、前記第２本体側ロック部に係止している請求項１０に記載の電線モジュール。
【請求項１２】
前記第２蓋部は、平板状である請求項７から請求項１１のいずれか１項に記載の電線モジュール。
【請求項１３】
前記パイプは、樹脂製の押出成形体である請求項１から請求項１２のいずれか１項に記載の電線モジュール。
【手続補正２】
【補正対象書類名】明細書
【補正対象項目名】発明の名称
【補正方法】変更
【補正の内容】
【発明の名称】電線モジュール
【手続補正３】
【補正対象書類名】明細書
【補正対象項目名】０００１
【補正方法】変更
【補正の内容】
【０００１】
本開示は、電線モジュールに関するものである。
【手続補正４】
【補正対象書類名】明細書
【補正対象項目名】０００５
【補正方法】変更
【補正の内容】
【０００５】
本開示の目的は、パイプにプロテクタを連結する際の信頼性を確保することができる電線モジュールを提供することにある。
【手続補正５】
【補正対象書類名】明細書
【補正対象項目名】０００６
【補正方法】変更
【補正の内容】
【０００６】
本開示の電線モジュールは、電線と、前記電線を覆うパイプと、前記電線と前記パイプとを覆う第１プロテクタと、を有し、前記第１プロテクタは、第１本体部と、前記パイプの軸方向と交差する方向から前記第１本体部に連結される第１蓋部と、前記第１本体部及び前記第１蓋部の少なくとも一方に設けられる第１突部と、を有し、前記パイプは、第１端部と、前記第１端部において前記パイプを貫通する第１孔と、を有し、前記第１プロテクタは、前記パイプの前記第１端部を覆い、前記第１突部は、前記第１孔に嵌り、前記第１孔は、前記軸方向と直交する方向よりも前記軸方向に長い長孔状であり、前記第１孔の寸法は、前記軸方向において前記第１突部の寸法よりも大きい。
【手続補正６】
【補正対象書類名】明細書
【補正対象項目名】０００７
【補正方法】変更
【補正の内容】
【０００７】
本開示の電線モジュールによれば、パイプにプロテクタを連結する際の信頼性を確保できるという効果を奏する。
【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
収納される容器の出し入れを止めるための施錠装置であって、
容器を収納するユニットに取り付ける取付部と、
前記取付部に係合され、前記ユニットに収納される容器の出し入れを止めるストッパー部と、
前記ストッパー部が、前記ユニットに収納される複数の容器の出し入れを止める位置において、当該ストッパー部の移動を制限する固定状態と、移動可能な解除状態とを切替える切替部とを備えることを特徴とする施錠装置。
【請求項２】
前記ユニットは、ユニット同士が連結可能に設けられ、
前記取付部は、ユニット同士が連結されたユニットの間に挟み込まれ、連結される際に対接する側面で取り付けされることを特徴とする請求項１に記載の施錠装置。
【請求項３】
連結された前記ユニット同士は、容器が引き出されていない状態では連結の解除が困難に設けられていることを特徴とする請求項２に記載の施錠装置。
【請求項４】
前記切替部は、前記取付部と前記ストッパー部とを係止めることによって、固定状態を実現することを特徴とする請求項１乃至３のうちいずれか１項に記載の施錠装置。
【請求項５】
前記ストッパー部は、回動して前記取付部と重ねられるよう、当該取付部に係合されることを特徴とする請求項１乃至４のうちいずれか１項に記載の施錠装置。
【請求項６】
前記ユニットは、当該ユニットを駆動または制御するための指示をユーザから受付ける指示受付部を更に備え、
前記ストッパー部は、ユニットに収納される容器の出し入れを止める位置で、指示受付部を覆うことにより、当該指示受付部のユーザからの指示の受付を困難にすることを特徴とする請求項１乃至５のうちいずれか１項に記載の施錠装置。
【手続補正２】
【補正対象書類名】明細書
【補正対象項目名】００１８
【補正方法】変更
【補正の内容】
【００１８】
本発明の目的は、物品を蓄える容器の収納したユニットから、複数の容器の取出しを止める仕組みを提供する。
【手続補正３】
【補正対象書類名】明細書
【補正対象項目名】００１９
【補正方法】変更
【補正の内容】
【００１９】
本発明は、収納される容器の出し入れを止めるための施錠装置であって、容器を収納するユニットに取り付ける取付部と、前記取付部に係合され、前記ユニットに収納される容器の出し入れを止めるストッパー部と、前記ストッパー部が、前記ユニットに収納される複数の容器の出し入れを止める位置において、当該ストッパー部の移動を制限する固定状態と、移動可能な解除状態とを切替える切替部とを備えることを特徴とする。
【手続補正４】
【補正対象書類名】明細書
【補正対象項目名】００２０
【補正方法】変更
【補正の内容】
【００２０】
このように設けることで、物品を蓄える容器の収納したユニットから、複数の容器の取出しを止める仕組みを提供する。
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
三次元の対象を積層造形的に製造する装置であって、
エネルギービームを発生させるように、且つ、前記エネルギービームによって硬化可能な粒子状の構成材料の連続層を選択的に硬化させるように構成された、ビーム発生装置と、
粉末モジュールによって少なくとも部分的に支承された前記構成材料の前記連続層を、構成面上に塗布するように構成された、コーティング装置と、
を備える装置であって、
前記コーティング装置が、その外面周囲に配置された、且つ、前記構成面に少なくとも部分的に平行にガスの流れを放出して、前記構成材料を構成材料層として塗布する間に及び／又は塗布した後に、前記構成材料の少なくとも一部を流動化させるように構成された、ディフューザー及び／又はノズルを備える、少なくとも１つの流れ開口部を有する、刃部状のコーティング要素を備えることを特徴とする、
装置。
【請求項２】
前記少なくとも１つの流れ開口部が、前記ガスの大部分が前記構成面に実質的に平行に流れるように構成及び配置され、且つ／或いは、
前記少なくとも１つの流れ開口部が、前記ガスの少なくともいくらかが前記構成面に対して角度をなして流れるように構成及び配置されることを特徴とする、
請求項１に記載の装置。
【請求項３】
前記ガスが、不活性ガス、又は、不活性ガスを含むガス混合物を備えることを特徴とする、請求項１又は２に記載の装置。
【請求項４】
層流状のガス流を提供するように構成された複数の流れ開口部を備え、当該複数の流れ開口部のそれぞれが、少なくとも１つのディフューザー要素を備えることを特徴とする、請求項１から３のいずれか一項に記載の装置。
【請求項５】
前記構成材料を構成材料層として塗布する間に及び／又は塗布した後に、機械的振動を前記構成材料の少なくとも一部内にもたらすように構成された、振動装置を備えることを特徴とする、
請求項１から４のいずれか一項に記載の装置。
【請求項６】
前記振動装置が、
所定の振動性質を有する機械的振動を発生させるように構成された、振動発生要素と、
前記構成材料を構成材料層として塗布する間に及び／又は塗布した後に、前記機械的振動を前記構成材料に直接的に又は間接的に伝達するように構成された、振動伝達要素と、
を備えることを特徴とする、請求項５に記載の装置。
【請求項７】
前記機械的振動が、前記構成材料を構成材料層として塗布する間に及び／又は塗布した後に、前記構成材料の少なくとも一部を流動化させるように構成されることを特徴とする、請求項６に記載の装置。
【請求項８】
前記振動発生要素が、前記コーティング装置上に若しくは前記コーティング装置内に、又は前記コーティング装置の機能構成要素上に若しくは当該機能構成要素内に、配置又は形成されるか、或いは、
前記振動発生要素が、前記刃部状のコーティング要素上に若しくは前記刃部状のコーティング要素内に、配置又は形成されることを特徴とする、
請求項６又は７に記載の装置。
【請求項９】
前記振動発生要素が、電気機械変換器を備えることを特徴とする、請求項６から８のいずれか一項に記載の装置。
【請求項１０】
前記振動伝達要素が、前記コーティング装置上に若しくは前記コーティング装置内に、又は前記コーティング装置の機能構成要素上に若しくは当該機能構成要素内に、配置又は形成され、前記機械的振動を前記構成材料内に伝送するように構成されることを特徴とする、請求項６から９のいずれか一項に記載の装置。
【請求項１１】
前記振動伝達要素が、伝送媒体を介して間接的に前記機械的振動を前記構成材料内に伝送するように構成されると共に、少なくとも、機械的振動を前記構成材料層内へ伝送する間、前記構成材料層から物理的に分離されており、前記伝送媒体が、前記刃部状のコーティング要素の前記少なくとも１つの流れ開口部から放出している前記ガス、及び／又は、前記振動伝達要素と前記構成材料層との間に位置する空気を備えることを特徴とする、請求項１０に記載の装置。
【請求項１２】
前記振動装置の少なくとも一部が、少なくとも１つの移動自由度で移動可能に支承されると共に、前記コーティング装置の移動と共に移動するように構成及び配置されることを特徴とする、請求項５から１１のいずれか一項に記載の装置。
【請求項１３】
振動伝達要素が、直接的に前記機械的振動を前記構成材料層内に伝送するように構成されると共に、少なくとも、機械的振動を前記構成材料層内へ伝送する間、前記構成材料層の少なくとも一部に接触していることを特徴とする、請求項１２に記載の装置。
【請求項１４】
少なくとも１つの移動自由度で移動可能に支承されると共に、前記コーティング装置の移動と共に移動するように構成及び配置された、保持装置を備え、
前記振動伝達要素が、前記保持装置上に若しくは前記保持装置内に配置又は形成されて、前記保持装置と共に移動するように連結されることを特徴とする、
請求項１３に記載の装置。
【請求項１５】
前記粉末モジュールが、粉末チャンバー壁部を備え、前記振動装置の少なくとも一部が、前記粉末チャンバー壁部上に若しくは前記粉末チャンバー壁部内に配置されることを特徴とする、請求項５から１４のいずれか一項に記載の装置。
【請求項１６】
三次元の対象を積層造形的に製造する方法であって、
粉末モジュールによって少なくとも部分的に支承された、粒子状の構成材料の連続層を、構成面上に、コーティング装置で塗布することと、
前記構成材料を構成材料層として塗布する間に及び／又は塗布した後に、前記構成材料の少なくとも一部を流動化させることと、
を含む方法であって、
前記流動化が、前記コーティング装置の刃部状のコーティング要素の少なくとも１つの流れ開口部から放出して前記構成面に少なくとも部分的に平行に流れるガスによって少なくとも部分的に生じ、前記少なくとも１つの流れ開口部が、前記コーティング装置の外面周囲に配置されたディフューザー及び／又はノズルを備えることを特徴とする、
方法。
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
０．００５％〜０．１０％w/wのヘキサン酸，６−（ニトロオキシ）−，（１Ｓ，２Ｅ）−３−［（１Ｒ，２Ｒ，３Ｓ，５Ｒ）−２−［（２Ｚ）−７−（エチルアミノ）−７−オキソ−２−ヘプテン−１−イル］−３，５−ジヒドロキシシクロペンチル］−１−（２−フェニルエチル）−２−プロペン−１−イルエステル、０．５％w/w〜１．５％w/wのマクロゴール１５ヒドロキシステアラート、０．０１３％w/w〜０．０２％w/wのベンザルコニウム塩化物、０．０３％w/w〜０．０７％w/wのエデト酸塩、二塩基性リン酸ナトリウム七水和物、ホウ酸、ソルビトール又はグリセロールから選択される等張化剤、及び水を含む溶液形態の眼科用水性組成物であって、ｐＨが５．５〜６．５であり、浸透圧が２６０〜３４０ｍＯｓｍ／ｋｇであり、マクロゴール１５ヒドロキシステアラートが唯一の可溶化剤である、眼科用水性組成物。
【請求項２】
エデト酸塩がエチレンジアミン四酢酸二ナトリウム塩二水和物であり、等張化剤がソルビトールである、請求項１記載の眼科用水性組成物。
【請求項３】
ヘキサン酸，６−（ニトロオキシ）−，（１Ｓ，２Ｅ）−３−［（１Ｒ，２Ｒ，３Ｓ，５Ｒ）−２−［（２Ｚ）−７−（エチルアミノ）−７−オキソ−２−ヘプテン−１−イル］−３，５−ジヒドロキシシクロペンチル］−１−（２−フェニルエチル）−２−プロペン−１−イルエステルの量が、０．０２１％w/w、０．０４２％w/w、０．０６５％w/w又は０．１０w/wである、請求項１又は２記載の眼科用水性組成物。
【請求項４】
０．０６５％w/wのヘキサン酸，６−（ニトロオキシ）−，（１Ｓ，２Ｅ）−３−［（１Ｒ，２Ｒ，３Ｓ，５Ｒ）−２−［（２Ｚ）−７−（エチルアミノ）−７−オキソ−２−ヘプテン−１−イル］−３，５−ジヒドロキシシクロペンチル］−１−（２−フェニルエチル）−２−プロペン−１−イルエステル、１．０％w/wのマクロゴール１５ヒドロキシステアラート、０．０１６％w/wのベンザルコニウム塩化物、０．０５％w/wのエチレンジアミン四酢酸二ナトリウム塩二水和物、２．７６％w/wのソルビトール、１．３３％w/wの二塩基性リン酸ナトリウム七水和物（Ｎａ２ＨＰＯ４ ７Ｈ２Ｏ）、０．５％w/wのホウ酸、及び水を含み、ｐＨが６である、請求項３記載の眼科用組成物。
【請求項５】
０．１０％w/wのヘキサン酸，６−（ニトロオキシ）−，（１Ｓ，２Ｅ）−３−［（１Ｒ，２Ｒ，３Ｓ，５Ｒ）−２−［（２Ｚ）−７−（エチルアミノ）−７−オキソ−２−ヘプテン−１−イル］−３，５−ジヒドロキシシクロペンチル］−１−（２−フェニルエチル）−２−プロペン−１−イルエステル、１．０％w/wのマクロゴール１５ヒドロキシステアラート、０．０１６％w/wのベンザルコニウム塩化物、０．０５％w/wのエチレンジアミン四酢酸二ナトリウム塩二水和物、２．７６％w/wのソルビトール、１．３３％w/wの二塩基性リン酸ナトリウム七水和物（Ｎａ２ＨＰＯ４ ７Ｈ２Ｏ）、０．５％w/wのホウ酸、及び水を含み、ｐＨが６である、請求項３記載の眼科用組成物。
【請求項６】
塩酸及び／又は水酸化ナトリウムをｐＨ調整剤として更に含む、請求項１〜５のいずれか一項記載の眼科用水性組成物。
【請求項７】
高眼圧症又は緑内障の処置における使用のための、又は眼圧を低下させるための、請求項１〜６のいずれか一項記載の眼科用水性組成物。
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
内皮先祖細胞（ＥＰＣ）および間充織幹細胞（ＭＳＣ）並びに固体のキャリア材料を含む、患者の損傷したかまたは病気の骨を治療するための組成物であって、
ＥＰＣとＭＳＣをそれぞれ少なくとも２：１の細胞数比で含み、
該固体のキャリア材料は、コラーゲンの細胞外マトリックス（ＥＣＭ）組織材料を含み、該ＥＣＭ組織材料が該ＥＣＭ組織材料のための源組織からの生来の生物活性物質を保持し、該生来の生物活性物質が、成長因子、グリコサミノグリカン類、プロテオグリカン類、および糖タンパク質を含み、該生来の生物活性物質が、該ＥＣＭ組織材料のコラーゲン繊維の間、上および／または内に点在した固体として該ＥＣＭ組織材料に保持されて、該ＥＣＭ組織材料の乾燥重量での少なくとも１％を構成しており、
当該組成物中のＥＰＣとＭＳＣを合わせた合計数の少なくとも５０％が該固体のキャリア材料に付着されている、組成物。
【請求項２】
ＥＰＣとＭＳＣを、それぞれの細胞数比で２：１から１０：１の範囲で含む、請求項１記載の組成物。
【請求項３】
ＥＰＣは内皮コロニー形成細胞（ＥＣＦＣ）であることを特徴とする、請求項１又は２記載の組成物。
【請求項４】
ＥＰＣとＭＳＣの少なくとも１つは患者の同種異型であることを特徴とする、請求項１から３のいずれか１項記載の組成物。
【請求項５】
ＥＰＣとＭＳＣの少なくとも１つは患者の自己由来であることを特徴とする、請求項１から４のいずれか１項記載の組成物。
【請求項６】
ＭＳＣは患者の同種異型であり、ＥＰＣが患者と同種異型であることを特徴とする、請求項１から５のいずれか１項記載の組成物。
【請求項７】
ＭＳＣは臍帯血由来のＭＳＣであることを特徴とする、請求項１から６のいずれか１項記載の組成物。
【請求項８】
ＥＰＣは臍帯血由来のＥＰＣであることを特徴とする、請求項１から７のいずれか１項記載の組成物。
【請求項９】
ＭＳＣは骨髄由来のＭＳＣであることを特徴とする、請求項８記載の組成物。
【請求項１０】
該コラーゲンのＥＣＭ組織材料は粘膜下の組織または腎被膜組織を含むことを特徴とする、請求項１から９のいずれか１項記載の組成物。
【請求項１１】
該コラーゲンのＥＣＭ組織材料は豚のＥＣＭ組織材料であることを特徴とする、請求項１から１０のいずれか１項記載の組成物。
【請求項１２】
該組成物はさらにリン酸カルシウム化合物を含むことを特徴とする、請求項１から１１のいずれか１項記載の組成物。
【請求項１３】
患者の損傷したかまたは病気の骨を治療するための組成物を調製する方法であって、
少なくとも２：１の細胞数比の内皮先祖細胞（ＥＰＣ）および間充織幹細胞（ＭＳＣ）を固体のキャリア材料に結合するステップと、
該キャリア材料に接触して結合されたＥＰＣおよびＭＳＣを、結合されたＥＰＣおよびＭＳＣの数が５％を超えて増大することなく、該結合されたＥＰＣおよびＭＳＣの少なくとも５０％が該固体のキャリア材料に付着するのに十分な時間インキュベートするステップと、
を含む方法。
【請求項１４】
該固体のキャリア材料は、コラーゲンの細胞外マトリックス（ＥＣＭ）組織材料を含み、該ＥＣＭ組織材料が該ＥＣＭ組織材料のための源組織からの生来の生物活性物質を保持し、該生来の生物活性物質が、成長因子、グリコサミノグリカン類、プロテオグリカン類、および糖タンパク質を含み、該生来の生物活性物質が、該ＥＣＭ組織材料のコラーゲン繊維の間、上および／または内に点在した固体として該ＥＣＭ組織材料に保持されて、該ＥＣＭ組織材料の乾燥重量での少なくとも１％を構成している、請求項１３に記載の方法。
【手続補正書】
【提出日】令和2年8月31日(2020.8.31)
【手続補正１】
【補正対象書類名】特許請求の範囲
【補正対象項目名】全文
【補正方法】変更
【補正の内容】
【特許請求の範囲】
【請求項１】
農作物または園芸作物の栽培地において、クロチアニジン、ニテンピラム、オキサゾスルフィル、カルタップ塩酸塩、スピネトラム、ピリダリル、フェニトロチオン、エスフェンバレレート、フェンプロパトリン、ペルメトリン、シペルメトリン、ピリプロキシフェン、エトキサゾール、ジニコナゾールＭ、オキソリニック酸、ジクロシメット、フラメトピル、バリダマイシン、フェリムゾン、フサライド、イソチアニル、ベノミル、ジエトフェンカルブ、プロシミドン、トルクロホスメチル、フェンピラザミン、マンデストロビン、ピリダクロメチル、インピルフルキサム、およびメチルテトラプロールからなる群から選ばれる少なくとも１つの殺虫剤または殺菌剤をスポット処理する工程を含む、病害虫の防除方法。
【請求項２】
農作物または園芸作物の茎葉部に殺虫剤または殺菌剤を処理する、請求項１に記載の方法。
【請求項３】
農作物に殺虫剤または殺菌剤を処理する、請求項１または２に記載の方法。
【請求項４】
農作物が、イネ、コムギ、トウモロコシ、ダイズ、ワタ、カノーラ、テンサイ、サトウキビ、およびヒマワリからなる群から選ばれる農作物である、請求項３に記載の方法。
【手続補正２】
【補正対象書類名】明細書
【補正対象項目名】０００６
【補正方法】変更
【補正の内容】
【０００６】
[1] 農作物または園芸作物の栽培地において、クロチアニジン、ニテンピラム、オキサゾスルフィル、カルタップ塩酸塩、スピネトラム、ピリダリル、フェニトロチオン、エスフェンバレレート、フェンプロパトリン、ペルメトリン、シペルメトリン、ピリプロキシフェン、エトキサゾール、ジニコナゾールＭ、オキソリニック酸、ジクロシメット、フラメトピル、バリダマイシン、フェリムゾン、フサライド、イソチアニル、ベノミル、ジエトフェンカルブ、プロシミドン、トルクロホスメチル、フェンピラザミン、マンデストロビン、ピリダクロメチル、インピルフルキサム、およびメチルテトラプロールからなる群から選ばれる少なくとも１つの殺虫剤または殺菌剤をスポット処理する工程を含む、病害虫の防除方法。
[2] 農作物または園芸作物の茎葉部に殺虫剤または殺菌剤を処理する、[1]に記載の方法。
[3] 農作物に殺虫剤または殺菌剤を処理する、[1]または[2]に記載の方法。
[4] 農作物が、イネ、コムギ、トウモロコシ、ダイズ、ワタ、カノーラ、テンサイ、サトウキビ、およびヒマワリからなる群から選ばれる農作物である、[3]に記載の方法。
【手続補正３】
【補正対象書類名】明細書
【補正対象項目名】０００８
【補正方法】変更
【補正の内容】
【０００８】
本発明の病害虫の防除方法（以下、本発明方法と記すことがある）は、農作物または園芸作物（以下「本発明作物」と呼ぶこともある）の栽培地において、クロチアニジン、ニテンピラム、オキサゾスルフィル、カルタップ塩酸塩、スピネトラム、ピリダリル、フェニトロチオン、エスフェンバレレート、フェンプロパトリン、ペルメトリン、シペルメトリン、ピリプロキシフェン、エトキサゾール、ジニコナゾールＭ、オキソリニック酸、ジクロシメット、フラメトピル、バリダマイシン、フェリムゾン、フサライド、イソチアニル、ベノミル、ジエトフェンカルブ、プロシミドン、トルクロホスメチル、フェンピラザミン、マンデストロビン、ピリダクロメチル、インピルフルキサム、およびメチルテトラプロールからなる群（以下、本発明化合物と記すことがある）から選ばれる少なくとも１種の化合物をスポット処理する工程を含む。
【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
気相と液相とを有する気液状態のテトラフルオロプロペンが充填され密閉され、前記気相における酸素の濃度が、温度２５℃で３体積ｐｐｍ以上３０００体積ｐｐｍ未満であるテトラフルオロプロペンの保存容器の製造方法であって、
テトラフルオロプロペンを加圧して液体を生成させ、前記液体を、予め空気を真空脱気し、酸素濃度を温度２５℃で３０００体積ｐｐｍ未満に低減させた密閉容器に注入して、前記保存容器を製造する、保存容器の製造方法。
【請求項２】
前記テトラフルオロプロペンは、２，３，３，３−テトラフルオロプロペン、トランス−１，３，３，３−テトラフルオロプロペン、または、シス−１，３，３，３−テトラフルオロプロペンである、請求項１に記載の保存容器の製造方法。
【請求項３】
前記気相における酸素の濃度が、温度２５℃で３体積ｐｐｍ以上２０００体積ｐｐｍ以下である、請求項１または２に記載の保存容器の製造方法。
【請求項４】
前記気相における酸素の濃度が、温度２５℃で５体積ｐｐｍ以上１０００体積ｐｐｍ未満である、請求項１〜３のいずれか１項に記載の保存容器の製造方法。
【請求項５】
前記保存容器の構成材料が、炭素鋼、マンガン鋼、クロムモリブデン鋼、ステンレス鋼、アルミニウム合金から選ばれる少なくとも１種である、請求項１〜４のいずれか１項に記載の保存容器の製造方法。
【手続補正書】
【提出日】令和2年8月14日(2020.8.14)
【手続補正１】
【補正対象書類名】特許請求の範囲
【補正対象項目名】全文
【補正方法】変更
【補正の内容】
【特許請求の範囲】
【請求項１】
被験者の原発性腫瘍及び原発性腫瘍から転移してきた二次骨癌の両方を治療するための、抗癌活性を有し、SEQ ID NO:1のアミノ酸配列を含む有効量のインターフェロンを含む組成物。
【請求項２】
前記被験者へのインターフェロンの投与は、局所投与による前記インターフェロンの投与を含む、請求項1に記載の組成物。
【請求項３】
インターフェロンが、癌病巣又は癌に浸潤されたもしくは癌細胞を含む区域に投与される、請求項1または2に記載の組成物。
【請求項４】
前記インターフェロンの局所投与は、浸潤投与、経皮投与、透皮投与、表皮投与及び経粘膜投与の少なくとも一種を含む、請求項2に記載の組成物。
【請求項５】
前記被験者へのインターフェロンの投与は、前記インターフェロンを、被験者の骨、皮膚、粘膜、及び/又は粘膜下層に投与する、又は被験者の骨、皮膚、粘膜、及び/又は粘膜下層の上に投与することを含み、前記インターフェロンの濃度が0.01 mg/mlから5 mg/mlである、請求項1〜4のいずれか一項に記載の組成物。
【請求項６】
前記インターフェロンの局所投与は、噴霧による投与を含む、請求項2〜5のいずれか一項に記載の組成物。
【請求項７】
前記インターフェロンの局所投与は、2μgから2100μgのインターフェロンの投与を含む、請求項2〜6のいずれか一項に記載の組成物。
【請求項８】
噴霧による前記インターフェロンの投与は、1回あたり6μgから100μgの量で前記インターフェロンを噴霧投与することを含む、請求項6に記載の組成物。
【請求項９】
局所投与のための前記インターフェロンが、乾粉、水溶液、クリーム剤、膜浸透又は拡散薬物デリバリー系統、制御放出薬物デリバリー系統、密封薬物デリバリー系統、透皮貼付剤、又は皮膚下に注射されるインターフェロンを含んで徐放効果を奏するリザーバー型製剤の少なくとも一種に調製されている、請求項2〜8のいずれか一項に記載の組成物。
【請求項１０】
前記インターフェロンは、ナノ粒子、ミクロン粒子、微小球、リポソーム又は制御放出される単一又は複合材料に調製されたものを含む、請求項2〜8のいずれか一項に記載の組成物。
【請求項１１】
前記被験者へのインターフェロンの投与は、さらに全身投与及び/又は吸入投与による前記インターフェロンの投与を含む、請求項1〜10のいずれか一項に記載の組成物。
【請求項１２】
さらに、前記被験者に少なくとも一種の他の抗癌療法を施すことを含む、請求項1〜11のいずれか一項に記載の組成物であって、前記インターフェロンを投与する前、おおよそ同時及び/又はその後に、前記被験者に少なくとも一種の他の抗癌療法を施す、組成物。
【請求項１３】
少なくとも一種の他の抗癌療法は、化学療法、放射線療法、手術療法、介入療法、生物学的療法、標的療法と漢方薬療法の少なくとも一種を含む、請求項12に記載の組成物。
【請求項１４】
前記生物学的療法は、遺伝子治療と免疫治療の少なくとも一種を含み、前記手術療法はアブレーション療法を含む、請求項13に記載の組成物。
【請求項１５】
原発性腫瘍が、肺癌、皮膚癌、皮下腫瘍、粘膜癌及び粘膜下腫瘍からなる群から選択される、請求項1〜14のいずれか一項に記載の組成物。
【請求項１６】
原発性腫瘍が、非小細胞肺癌(NSCLC)、小細胞肺癌(SCLC)、メラノーマ、腺癌及び鼻咽頭癌からなる群から選択される、請求項1〜15のいずれか一項に記載の組成物。
【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
（ａ）３ｗ／ｖ％以上のミノキシジル、（ｂ）ジアセトンアルコール、ヘキシルデカノール、イソステアリルアルコール、及びオレイルアルコールからなる群から選ばれる少なくとも１種の高級アルコール（ｃ）ｐＨ調節剤、及び（ｄ）２０ｗ／ｖ％以上のエタノール又はイソプロパノールを含有することを特徴とするローション剤。
【請求項２】
（ｃ）ｐＨ調節剤が、無機酸及びその塩、並びに炭素数が６以下の有機酸及びその塩からなる群から選ばれる少なくとも１種である、請求項１に記載のローション剤。
【請求項３】
（ｂ）高級アルコールの含有量が０．１〜１０ｗ／ｖ％である、請求項１に記載のローション剤。
【請求項４】
低級アルコールの含有量が３５ｗ／ｖ％以上である、請求項１に記載のローション剤。
【手続補正２】
【補正対象書類名】明細書
【補正対象項目名】００５４
【補正方法】変更
【補正の内容】
【００５４】
表６〜７から明らかなように、エタノールが１８ｇしか含まれない比較例２は、セチルアルコールを全て溶解することができなかった。一方、実施例１〜実施例１９のローション剤は、配合成分が全て溶解し、析出物のない澄明なローション剤が得られた。また、実施例１０に関しては、数時間後に高級アルコール様の析出がわずかに認められたため、固形状の高級アルコールは１．５％までがより好ましい結果となった。